(57)【要約】【課題】多様な立体感を醸し出すことができ、特に、看板や建物の内外装等の大型パネルにも適用することが可能な３Ｄ表示パネルを提供する。【解決手段】本発明の３Ｄ表示パネルは、厚さが１ｍｍ〜２００ｍｍの透明板と、該透明板の表面に設けられる多数のレンズと、該多数のレンズと対応する大きさと配列で上記透明板の裏面に設けられる多数の地紋素子と、から構成される。【選択図】  図１
2006163189.tif 000002
【特許請求の範囲】
【請求項１】
厚さが１ｍｍ〜２００ｍｍの透明板と、該透明板の表面に設けられる多数のレンズと、該多数のレンズと対応する大きさと配列で上記透明板の裏面に設けられる多数の地紋素子と、から構成されることを特徴とする３Ｄ表示パネル。
【請求項２】
上記透明板を、表側部分と、裏側部分と、これらの部分の間に形成された空間と、により構成することを特徴とする請求項１に記載の３Ｄ表示パネル。
【請求項３】
上記レンズが、螺着等により着脱自在に取り付けられることを特徴とする請求項１または２に記載の３Ｄ表示パネル。
【請求項４】
上記地紋素子がシートに印刷され、該シートを透明板の裏面に重ねることを特徴とする請求項１、２または３に記載の３Ｄ表示パネル。
【請求項５】
上記透明板の裏に、文字・図柄・絵・写真等のイメージ情報を印刷したシートを重ねて設けることを特徴とする請求項１、２、３または４に記載の３Ｄ表示パネル。
【請求項６】
上記シートを動かすことを特徴とする請求項５に記載の３Ｄ表示パネル。
【請求項７】
厚さが１ｍｍ〜２００ｍｍの透明板と、該透明板の表面に設けられる多数のレンズと、上記透明板の裏に配置された点照明と、から構成されることを特徴とする３Ｄ表示パネル。
【発明の詳細な説明】
【技術分野】
【０００１】
本発明は、文字・図柄・絵・写真等のイメージ情報が立体的に見える３Ｄ表示パネルに関するものである。
【背景技術】
【０００２】
従来のこの種の３Ｄ表示パネルとしては、透明シートの表面に複数の凸レンズ状の突起を連続した任意のパターンで設けると共に、該シートの裏面に、表面と同じ連続パターンをもつ模様を、表面の連続パターンに対して変位させて印刷した装飾シートがあった。（例えば、特許文献１参照）
【０００３】
しかしながら、上記従来の装飾シートは、透明シートが０．３ｍｍ〜０．５ｍｍと薄くて、突起や模様の大きさや配列にも限界があり、十分な立体感を表出することが出来なかった。
【特許文献１】第２７６１８６１号特許公報
【発明の開示】
【発明が解決しようとする課題】
【０００４】
本発明が解決しようとする課題は、上記従来の装飾シートの問題点を解決することができ、多様な立体感を醸し出すことができ、特に、看板や建物の内外装等の大型パネルにも適用することが可能な３Ｄ表示パネルを提供することにある。
【課題を解決するための手段】
【０００５】
本発明の３Ｄ表示パネルは、厚さが１ｍｍ〜２００ｍｍの透明板と、該透明板の表面に設けられる多数のレンズと、該多数のレンズと対応する大きさと配列で上記透明板の裏面に設けられる多数の地紋素子と、から構成されることを特徴とする。また、上記透明板を、表側部分と、裏側部分と、これらの部分の間に形成された空間と、により構成することを特徴とする。さらに、上記レンズが、螺着等により着脱自在に取り付けられることを特徴とする。又更に、上記地紋素子がシートに印刷され、該シートを透明板の裏面に重ねることを特徴とする。更にまた、上記透明板の裏に、文字・図柄・絵・写真等のイメージ情報を印刷したシートを重ねて設けることを特徴とする。このシートを動かすことも特徴とする。また、厚さが１ｍｍ〜２００ｍｍの透明板と、該透明板の表面に設けられる多数のレンズと、上記透明板の裏に配置された点照明と、から構成されることを特徴とするものである。
【発明の効果】
【０００６】
本発明の３Ｄ表示パネルは、多様な立体感を醸し出すことができ、特に、看板や建物の内外装等の大型パネルにも適用することができる利点がある。
【発明を実施するための最良の形態】
【０００７】
以下、本発明の実施例について、図面を参照しながら説明する。
【実施例１】
【０００８】
図１は、本発明の第１の実施例を示す部分断面図であって、１は透明板、２はレンズ、３は地紋素子である。
【０００９】
上記透明板１の素材は、軟質または硬質塩化ビニール樹脂、アクリル樹脂、ポリカーボ樹脂、ペット樹脂などの合成樹脂や、ガラスなどから成る透明の板である。また、透明板１の厚みは１ｍｍ〜２００ｍｍであり、形状は、矩形（長方形・正方形）、平行四辺形、菱形、三角形、その他の多角形、円形、楕円形など、本発明の３Ｄ表示パネルの使用目的に応じて、いずれの形状でもよく、さらに、大きさは矩形の場合、１辺が数センチメートルから数メートルまで、これも使用目的に応じて、いずれの大きさでもよい。
【００１０】
上記レンズ２は、上記透明板１と同じ透明素材から形成される。透明板１とレンズ２の素材は一致させる必要はない。該レンズ２の形状は、図示のように、半球状となっているが、基本的にレンズの機能を損なわない範囲であれば、例えば四角錐や三角錐など、形状は球面に限定するものではない。また、レンズ２の大きさは、直径が０．２５ｍｍ〜４０ｍｍの範囲内で、上記透明板１の厚みや大きさに応じて設定される。該レンズ２は透明板１の表面に付着される。また、レンズ２はグラビア印刷やスクリーン印刷などにより印刷して表出させてもよい。透明板１には、多数のレンズ２が０．６ｍｍ〜９６ｍｍのピッチで縦横規則正しく配置される。なお、該レンズ２は所望範囲で欠いてもよい。このレンズ２を欠いた部分には、モアレ現象が生ずることはない。
【００１１】
上記地紋素子３は、上記透明板１の裏面にスクリーン印刷などにより印刷された無数の点であって、全体として文字や絵柄（写真）等の画像などの地紋を色付き点描で表示する。該地紋素子３の大きさや配列は、上記レンズ２の大きさや配列に応じて決定する。また、地紋素子３を印刷したシート（図示せず）を透明板１の裏面に重ねてもよい。
【００１２】
本発明の３Ｄ表示パネルは、以上のように構成されているので、上記レンズ２を透して地紋素子３により描かれた地紋がモアレ現象により奥行き感または浮き上がり感が生じ、全体として立体的に見えて、幻想的で神秘的な雰囲気を醸し出すことができ、特に、このパネルを看板等に応用した場合には、人の注意を喚起して大きな広告効果を発揮することができる。
また、地紋素子３の背面に写真等を重ねることにより、この写真がパネルの立体空間内で浮かんで見える。この写真を動かすことにより、立体感を変化させることができる。
【００１３】
表１は、図２に示された各寸法の関係の具体例を示す。
【表１】
2006163189.tif 000003
【００１４】
図３は、本発明の第２の実施例を示す部分断面図であって、上記透明板１の肉厚が特に大きい場合に（例えば１９０ｍｍ）、厚み（表側部分１ａと裏側部分１ｂ）の中間に空間部１ｃを設けることにより、素材を節約することができる。
【００１５】
図４は、本発明の第３の実施例を示す部分断面図であって、上記透明板１の肉厚が小さい場合に（例えば，１０ｍｍ）、上記レンズ２を透明板１と一体成形することにより、レンズ２の印刷や付設工程を省略して、製造コストを安くすることができる。
【００１６】
図５は、本発明の第４の実施例を示す拡大断面図であって、上記レンズ２に取付雄ネジ２ａを設けるとともに、上記透明板１の取り付け箇所に取付雌ネジ１ｄを形成して、取り付け取り外しできるように構成し、レンズ２の種類や大きさを交換できるようにする。本実施例では、ネジにより着脱自在に螺着したが、取付取り外し可能な手段であれば、ネジに限定するものではない。
【００１７】
図６は、本発明の第５の実施例を示す説明図であって、上記透明板１の裏面から所定距離を隔てて、ＬＥＤランプ、電球や蝋燭（炎）などの点照明４を配置することにより、図５に示すように、上記点照明４が数倍〜数十倍の大きさに見え、立体に見える。
【産業上の利用可能性】
【００１８】
本発明の３Ｄ表示パネルは、看板・案内板、建物や構築物の内装や外装、葉書や額縁などの小物、その他の各樹脂製品、各ガラス製品等の用途に適用できる。
【図面の簡単な説明】
【００１９】
【図１】本発明の３Ｄ表示パネルの第１の実施例を示す部分断面図である。
【図２】図１の実施例の各部の寸法を示す説明図である。
【図３】本発明のパネルの第２の実施例を示す部分断面図である。
【図４】本発明のパネルの第３の実施例を示す部分断面図である。
【図５】本発明のパネルの第４の実施例を示す部分断面図である。
【図６】図５の実施例の作用説明図である。
【符号の説明】
【００２０】
１    透明板
１ａ  表面部
１ｂ  裏面部
１ｃ  空間部
１ｄ  取付雌ネジ
２    レンズ
２ａ  取付雄ネジ
３    地紋素子
４    点照明
【図１】
2006163189.tif 000004
【図２】
2006163189.tif 000005
【図３】
2006163189.tif 000006
【図４】
2006163189.tif 000007
【図５】
2006163189.tif 000008
【図６】
2006163189.tif 000009